(57)【要約】【課題】既存の共同受信するテレビ放送設備を利用し、衛星放送のトランスポンダ番号の信号を１本の同軸ケーブルで伝送でき、端末機側では市販の衛星放送対応のテレビ受像機を用いてより簡易な構成で任意のチャンネルを受信する。【解決手段】衛星放送対応のテレビ受像機21に付設され、リモコン26での操作信号を受ける受光センサ24乃至Ｉ／Ｆ40と、衛星放送の任意複数のトランスポンダ番号の中間周波信号が各々ダウンコンバートし、混合された信号を入力する入力端子30と、Ｉ／Ｆ40を介して受けた選局内容に基づき、トランスポンダ番号に応じた周波数信号を発振し、入力端子30からの信号をアップコンバートしてトランスポンダ番号の中間周波信号を得、テレビ受像機21に出力するミキサー回路32及びローカル発振回路34を含むアップコンバータと、ローカル発振回路34の発振する周波数信号を制御する制御部33とを備える。【選択図】      図４
2005167930.tif 000002
【特許請求の範囲】
【請求項１】
衛星放送受信可能なテレビ受像機に付設され、テレビ受像機に対する衛星放送の選局操作を受付ける選局受付手段と、
衛星放送の任意複数のトランスポンダ番号に該当する中間周波信号がそれぞれ所定の任意周波数帯に変換されてから混合された信号を入力する入力手段と、
上記選局受付手段で受付けた選局内容に基づき、衛星放送の任意トランスポンダ番号に応じた周波数信号を発振し、上記入力手段で入力した信号に重畳して衛星放送のトランスポンダ番号の中間周波信号を得て上記テレビ受像機に出力する周波数変換手段と、
上記周波数変換手段の発振する周波数信号を制御する制御手段と
を具備したことを特徴とする衛星放送受信装置。
【請求項２】
上記選局受付手段は、上記テレビ受像機に付属したリモートコントローラからの遠隔操作信号を受付けることを特徴とする請求項１記載の衛星放送受信装置。
【請求項３】
上記選局受付手段は、複数のテレビ受像機メーカのリモートコントローラに対応した遠隔操作信号の中から予め対応するテレビ受像機メーカを選択設定しておくことにより、該リモートコントローラの遠隔操作信号を受付可能としたことを特徴とする請求項２記載の衛星放送受信装置。
【発明の詳細な説明】
【技術分野】
【０００１】
本発明は、特にホテルや病院などのテレビ放送を共同受信する施設に好適な衛星放送受信装置に関する。
【背景技術】
【０００２】
テレビ放送を共同受信するホテルや病院などの施設では、従来、施設館内で自主的に放送するチャンネルを、ＶＨＦ帯及びＵＨＦ帯の各地上波放送の空きチャンネルに挿入して伝送し、テレビ受像機でそのまま復調して視聴する方法や、一旦有料放送の課金機能を備えた受信機で復調し、テレビ受像機に出力して視聴する方法をとっており、いずれも増幅器（アンプ）を始めとする共聴機材等の設備の多くがＶＨＦ帯及びＵＨＦ帯に対応した７６［ＭＨｚ］乃至７７０［ＭＨｚ］の周波数範囲に制約されている。
【０００３】
一方、ＢＳ放送やＣＳ放送等の衛星放送を受信して配信する場合は、１．０３２［ＧＨｚ］乃至１．３３６［ＧＨｚ］のＢＳ中間周波信号や、１．５９５［ＧＨｚ］乃至２．０７１［ＧＨｚ］のＣＳ中間周波信号など、ＧＨｚ（ギガヘルツ）オーダーの信号を上述した既存の設備では直接に伝送することができない。
【０００４】
そのため、従来の設備とは別に新たな追加共聴設備を用意し、計２本の同軸ケーブルで伝送する共聴方式が採用されるようになっている。
【０００５】
一方、一般的なＣＡＴＶシステムでは、ＢＳデジタル放送を同軸ケーブルで伝送する方法として、ＣＡＴＶ方式である６［ＭＨｚ］６４ＱＡＭ（直交振幅変調）信号を使って伝送するトランスモジュレーション方式、再多重化で伝送するリマックス方式、及びＢＳ中間周波数を地上波の再送信で使用していないケーブルテレビの周波数に変換して伝送するパススルー方式が考えられている。
【０００６】
また、それぞれ受信したＢＳ信号、ＣＳ右旋円偏波信号、及びＣＳ左旋円偏波信号を周波軸上で重ならないように配列して中間周波数に変換し、高域通過フィルタを介した後に、同じく中間周波数に変換した他の信号を低域通過フィルタを介したものと混合して１本の同軸ケーブルにより伝送するようにした技術も考えられている。（例えば、特許文献１）
【特許文献１】特開２００１−１８６０３７号公報
【発明の開示】
【発明が解決しようとする課題】
【０００７】
しかしながら、新規に衛星放送の共聴システムを構築する場合を除き、既存設備において、同軸ケーブル２本を用いて伝送を行なわせるには新たな設備工事が必要となり、その手間と設備費用による負担が大きい。
【０００８】
また、ＣＡＴＶの規格に則ったトランスモジュレーション方式及びリマックス方式は、再送信する送出側の設備費用が大きくなるだけでなく、放送を受ける端末側にも新たなセットトップボックス（以下「ＳＴＢ」と称する）が必要となる。
【０００９】
さらに、周波数変換した信号を伝送する上記パススルー方式は、他の方式に比してより経済的、且つ容易に実施可能であるが、コンバータが広い範囲の周波数帯域をブロックして周波数変換するため、不要なチャンネル帯も占有し、希望するチャンネルを選択して伝送したい場合や、すでに空きチャンネルが部分的に使用されている場合などに不都合を生じることになる。
【００１０】
上記特許文献１の技術も、上記トランスモジュレーション方式及びリマックス方式と同様に、１本の同軸ケーブルで伝送するべく、受信した放送及びＣＳ放送の周波数帯を変換して再送信しており、送出側の設備費用が大きくなるだけでなく、放送を受ける端末側にも新たなＳＴＢが必要となる。
【００１１】
本発明は上記のような実情に鑑みてなされたもので、その目的とするところは、既存の共同受信するテレビ放送設備を利用し、複数の希望する衛星放送のトランスポンダ番号の信号を１本の同軸ケーブルで伝送でき、端末機側では市販の衛星放送対応のテレビ受像機を用いてより簡易な構成で任意のチャンネルを受信することが可能な衛星放送受信装置を提供することにある。
【課題を解決するための手段】
【００１２】
請求項１記載の発明は、衛星放送受信可能なテレビ受像機に付設され、テレビ受像機に対する衛星放送の選局操作を受付ける選局受付手段と、衛星放送の任意複数のトランスポンダ番号に該当する中間周波信号がそれぞれ所定の任意周波数帯に変換されてから混合された信号を入力する入力手段と、上記選局受付手段で受付けた選局内容に基づき、衛星放送の任意トランスポンダ番号に応じた周波数信号を発振し、上記入力手段で入力した信号に重畳して衛星放送のトランスポンダ番号の中間周波信号を得て上記テレビ受像機に出力する周波数変換手段と、上記周波数変換手段の発振する周波数信号を制御する制御手段とを具備したことを特徴とする。
【００１３】
請求項２記載の発明は、上記請求項１記載の発明において、上記選局受付手段は、上記テレビ受像機に付属したリモートコントローラからの遠隔操作信号を受付けることを特徴とする。
【００１４】
請求項３記載の発明は、上記請求項２記載の発明において、上記選局受付手段は、複数のテレビ受像機メーカのリモートコントローラに対応した遠隔操作信号の中から予め対応するテレビ受像機メーカを選択設定しておくことにより、該リモートコントローラの遠隔操作信号を受付可能としたことを特徴とする。
【発明の効果】
【００１５】
請求項１記載の発明によれば、既存の共同受信するテレビ放送設備を利用して複数の希望する衛星放送のトランスポンダ番号の信号を１本の同軸ケーブルで伝送でき、端末機側では市販の衛星放送対応のテレビ受像機を用いてより簡易な構成で任意のチャンネルを受信することが可能となる。
【００１６】
請求項２記載の発明によれば、テレビ受像機に付属したリモートコントローラを用いての選局操作により、トランスポンダ番号の変更に伴う周波数変換手段での変換周波数の切換えを一括して制御することができる。
【００１７】
請求項３記載の発明によれば、複数のテレビ受像機のメーカに対応して付属しているリモートコントローラの操作信号を受付けるようにしたため、端末機側の設備として使用することが可能なテレビ受像機の選択の幅を広げることができる。
【発明を実施するための最良の形態】
【００１８】
以下本発明をホテル館内に敷設する衛星放送受信システムの各客室に設置する受信機に適用した場合の実施の一形態について図面を参照して説明する。
【００１９】
図１は、システム全体の構成を示すものであり、ＢＳ・ＣＳアンテナ２で受信された信号がそれぞれ別々に中間周波帯に周波数変換された後に混合され、１本の同軸ケーブル３を介して衛星放送ダウンコンバータ１に入力される。
【００２０】
この衛星放送ダウンコンバータ１では、分配器４でこれを複数、例えば５つに分配してダウンコンバータモジュール５〜９へ出力する。
【００２１】
ダウンコンバータモジュール５（〜９）はそれぞれ、トランスポンダ番号設定部５ａ（〜９ａ）と変換周波数設定部５ｂ（〜９ｂ）を有している。トランスポンダ番号設定部５ａ（〜９ａ）は、入力された中間周波信号中のトランスポンダ番号を施設管理者が任意に設定可能であり、変換周波数設定部５ｂ（〜９ｂ）はトランスポンダ番号設定部５ａ（〜９ａ）で設定されたトランスポンダ番号を所定の任意周波数帯に変換設定可能である。
【００２２】
ここでは、例えば４つのダウンコンバータモジュール５〜８にてＢＳ放送の４トランスポンダ番号を選択し、残る１つのダウンコンバータモジュール９がＣＳ放送の１トランスポンダ番号を設定してそれぞれ受信するものとする。
【００２３】
具体的には、例えば図２に示すようにダウンコンバータモジュール５がトランスポンダ番号ＢＳ１（中間周波数１，０４９．４８［ＭＨｚ］）を選択受信し、これをＭＩＤ帯の１３９．４８［ＭＨｚ］に変換する。
【００２４】
同様に、ダウンコンバータモジュール６がトランスポンダ番号ＢＳ３（中間周波数１，０８７．８４［ＭＨｚ］）を選択受信し、これをＳＨＢ帯の３２６．８４［ＭＨｚ］に変換する。
【００２５】
以下、ダウンコンバータモジュール７は、トランスポンダ番号ＢＳ１３（中間周波数１，２７９．６４［ＭＨｚ］）を選択受信し、これを同じくＳＨＢ帯の３６５．６４［ＭＨｚ］に変換する。
【００２６】
ダウンコンバータモジュール８は、トランスポンダ番号ＢＳ１５（中間周波数１，３１８．００［ＭＨｚ］）を選択受信し、これを同じくＳＨＢ帯の４０４．００［ＭＨｚ］に変換する。
【００２７】
ダウンコンバータモジュール９は、ＣＳ放送のトランスポンダ番号ＮＤ２（中間周波数１，６１３．００［ＭＨｚ］）を選択受信し、これをＵＨＦ帯の７４９．００［ＭＨｚ］に変換する。
【００２８】
図３（Ａ）に各種放送の周波数配列を示し、図３（Ｂ）に衛星放送ダウンコンバータ１が周波数変換した各トランスポンダ番号を地上波放送と共に周波数配列で示す。
【００２９】
これらダウンコンバータモジュール５〜９の出力するそれぞれ任意の周波数に変換された信号は、混合器１０で混合され、１本の同軸ケーブル１１を介して混合器１４に入力される。
【００３０】
この混合器１４にはまた、ＵＨＦアンテナ１２とＶＨＦアンテナ１３で受信されたＵＨＦ帯及びＶＨＦ帯の信号がそのまま合わせて入力されており、これら入力された信号を混合して出力する。
【００３１】
この混合器１４が出力する、衛星放送と地上波放送とが上記図３（Ｂ）に示すように周波数軸上で混合された信号が増幅器１５で増幅された後、分岐／分配器１６で分岐または分配され、それぞれ同軸ケーブル１７によりホテル館内に配信されるもので、この同軸ケーブル１７に接続された直列ユニット１８によりホテル館内の各客室毎に配信された信号を引込む。
【００３２】
直列ユニット１８には、分配器１９が接続されており、この分配器１９で２つに分配された信号の一方は同軸ケーブル２０を介して直接テレビ受像機２１へ、他方は同軸ケーブル２２を介して受信装置２３へ送られる。
【００３３】
この受信装置２３にはまた、上記テレビ受像機２１のリモコン受光部近傍に貼付された受光センサ２４からの受光信号がケーブル２５を介してスルー入力されるもので、受信装置２３はこのケーブル２５を介して入力された信号に基づいて、同軸ケーブル２２から入力される信号に対する適切な周波数で選択された１つのトランスポンダ番号の信号に対するアップコンバートを実行し、実行した結果をテレビ受像機２１へ出力する。
【００３４】
テレビ受像機２１は、地上波放送のみならず、少なくともＢＳ放送及びＣＳ放送等の衛星放送に対応したチューナを予め有しており、付属のリモコン２６からの信号に対応して選局動作その他を行なう。
【００３５】
図３（Ａ）に示した既存の周波数配列ではＳＨＢ帯の一部が使用されていることから、本実施の形態では図３（Ｂ）に示すように、受信した衛星放送の各トランスポンダ番号をＭＩＤ帯、ＳＨＢ帯、及びＵＨＦ帯の空き周波数に分散して伝送するものとしている。
【００３６】
上記衛星放送ダウンコンバータ１は、５つのダウンコンバータモジュール５〜９を一体化したものであるとして説明したが、単体のダウンコンバータモジュールを複数用いて構成するものとしても良い。
【００３７】
また、ＢＳ放送のＢＳ１〜ＢＳ１５の範囲のトランスポンダ番号をブロックしてダウンコンバートする方式があるが、既存の１本の同軸ケーブルを用いた設備でＶＨＦ帯、ＵＨＦ帯の信号を併せて、略３００［ＭＨｚ］に及ぶ上記トランスポンダ番号ＢＳ１〜ＢＳ１５の信号を伝送する空きはなく、上記説明した如く所定数の任意のトランスポンダ番号の中間周波信号を任意の変換周波数で伝送することが有効だと考えられる。
【００３８】
続いて図４により受信側の構成について説明する。  
直列ユニット１８で同軸ケーブル１７を伝送される信号を客室内に引込み、分配器１９で２分配して一方を同軸ケーブル２０を介してテレビ受像機２１のＵＨＦ及びＶＨＦのアンテナ端子に直接接続すると共に、他方を同軸ケーブル２２により受信装置２３の入力端子３０に接続する。
【００３９】
入力端子３０より入力される、ダウンコンバートされたＢＳ放送及びＣＳ放送の各トランスポンダ番号は、ＬＰＦ３１を通して高周波成分が除去された後にミキサー回路３２に送られる。
【００４０】
一方で、このミキサー回路３２は、制御部３３からの制御信号を受けたローカル発振回路３４が出力する局部発振信号も入力する。ローカル発振回路３４は、ＰＬＬ回路とＶＣＯ回路から構成され、制御部３３から送られてくる制御信号に基づいた周波数の局部発振信号をミキサー回路３２へ出力する。
【００４１】
しかして、ミキサー回路３２では、ローカル発振回路３４からの局部発振信号をＬＰＦ３１を介して入力されるダウンコンバートしたトランスポンダ番号の信号と重畳して、元のＢＳ放送またはＣＳ放送のトランスポンダ番号の中間周波信号に戻すもので、戻されたＢＳ放送またはＣＳ放送のトランスポンダ番号の中間周波信号はＨＰＦ３５を介して低周波成分が除去された後に出力端子３６より同軸ケーブル３７を介して上記テレビ受像機２１のＢＳ・ＣＳアンテナ端子へ出力される。
【００４２】
上記制御部３３は、テレビ受像機２１のリモコン受光部３８近傍に貼付された受光センサ２４で受信した、リモコン２６の選局操作信号をケーブル２５と入力端子３９を介してインターフェイス（Ｉ／Ｆ）４０より受取り、上記ローカル発振回路３４での局部発振信号を決定して制御するもので、他にＲＯＭ４１、ＥＥＰＲＯＭ４２を接続している。
【００４３】
ＲＯＭ４１は、制御部３３の動作プログラムと図５に示す各テレビ受像機メーカのリモコンコードを固定的に記憶しており、制御部３３はこのリモコンコードにより上記受光センサ２４で受信された信号からどのチャンネルが選局操作されたかを操作する。
【００４４】
ＥＥＰＲＯＭ４２は、図６にＢＳ放送用のテーブルを、図７にＣＳ放送用のテーブルをそれぞれ例示するように、リモコン２６の選局チャンネルとトランスポンダ番号の中間周波数及びダウンコンバートした周波数を関連付けたテーブル等を予め記憶させておくもので、制御部３３はこれらのテーブルを参照することで上記ローカル発振回路３４での局部発振信号を決定する。
【００４５】
上記のような構成にあって、ＢＳ放送及びＣＳ放送では、実際にテレビ受像機２１でテレビ放送を視聴するユーザには一切認識されないが、トランスポンダ番号と称する、複数のチャンネル分のデータが固有の中間周波信号でデジタルデータで多重化された信号を取扱うものとなっている。
【００４６】
したがって、このような複数チャンネル分の放送信号がデジタルデータで多重化されたものを上述した如くトランスポンダ番号と称するものとして、以下受信装置２３で適正な周波数でアップコンバートされるまでの動作を説明する。
【００４７】
上記リモコン２６は「ＢＳ（放送）」「ＣＳ１（放送）」「ＣＳ２（放送）」の選択ボタンと「１」〜「１２」のチャンネル番号ボタン、及びチャンネルのアップ／ダウンボタンとを少なくとも備えている。
【００４８】
ＢＳ放送のチャンネルを選局するためには、上記「ＢＳ（放送）」を操作した後に「１」〜「１２」のチャンネル番号ボタンを任意に操作する方法、または「１」〜「１２」のチャンネル番号ボタンのみを操作して３桁のチャンネル番号を直接入力する方法、及び所望のチャンネルが表示されるまで上記アップ／ダウンボタンを連続操作する方法がある。
【００４９】
このテレビ受像機２１及び受信装置２３の設置時に、ホテル管理者により予めテレビ受像機２１のメーカに対応したリモコン２６の設定が受信装置２３側に対してなされ、受信装置２３内のＥＥＰＲＯＭ４２に不揮発的に記憶されるもので、例えばテレビ受像機２１のメーカが「Ａ社」であれば、リモコン２６からは各ボタン操作により上記図５で示した「Ａ社」で示したリモコンコード「Ａ１」〜「Ａ１７」が発信され、これが受信装置２３側でも認識可能となる。
【００５０】
図８は、このときリモコン２６の特に「１」〜「１２」のチャンネル番号ボタン操作により発信されるリモコンコードを抽出して示すものであり、図９はリモコン２６のチャンネル番号「１」〜「１２」で３桁のチャンネル番号を操作した場合に発信されるリモコンコードを示すものである。
【００５１】
以下、ＢＳ放送でリモコン２６のチャンネル番号「５」を選択し、その代表チャンネルである「１５１」チャンネルを選局する場合を例にとってその動作を説明する。
【００５２】
リモコン２０の「ＢＳ」放送選択ボタンを操作した後に「５」のチャンネル番号ボタンを操作すると、リモコン２６は「ＢＳ」放送選択ボタンに対応したリモコンコード「Ａ１５」と、チャンネル番号「５」に対応したリモコンコード「Ａ５」の両コード信号を赤外変調信号として出力する。
【００５３】
このリモコン２６からの信号を受光センサ２４で受信し、ケーブル２５、入力端子３９、インターフェイス４０を介して制御部３３が受付ける。
【００５４】
制御部３３では、受付けたコード信号を解析し、その解析結果からＲＯＭ４１及びＥＥＰＲＯＭ４２を参照してチャンネル番号「５」を選局するものと判断し、そのチャンネル番号「５」が属するトランスポンダ番号「ＢＳ１」の中間周波信号の周波数が「１，０４９．４８［ＭＨｚ］」、ダウンコンバート周波数が「１３９．４８［ＭＨｚ］」であることから、ローカル発振回路３４の局部発振周波数が「９１０［ＭＨｚ］」となるＰＬＬ制御データを演算し、ローカル発振回路３４に出力する。
【００５５】
これを受けたローカル発振回路３４では、与えられたＰＬＬ制御データにより「９１０［ＭＨｚ］」の局部発振信号をミキサー回路３２に出力し、「１３９．４８［ＭＨｚ］」にダウンコンバートされている信号を元の「１，０４９．４８［ＭＨｚ］」までアップコンバートさせる。
【００５６】
こうしてアップコンバートされたトランスポンダ番号「ＢＳ１」の放送信号がテレビ受像機２１のＢＳ・ＣＳアンテナ端子へ出力される。
【００５７】
このときテレビ受像機２１内の図示しないＢＳ・ＣＳチューナでは、上記リモコン２６によるユーザ操作をリモコン受光部３８より受信し、これに対応してトランスポンダ番号「ＢＳ１」の「１，０４９．４８［ＭＨｚ］」の周波数を選局する状態となっており、同周波数の中間周波信号を選局し、そのトランスポートストリームの中からチャンネル「１５１」のデータを選択して出力することで、結果としてテレビ受像機２１でチャンネル「１５１」の放送が視聴できるようになる。
【００５８】
図１０（Ａ），（Ｂ）は上記図３（Ａ），（Ｂ）と同様に既存の周波数配列とその一部を衛星放送ダウンコンバータ１でダウンコンバートした結果を示す。  
これに対し、図１０（Ｃ）はトランスポンダ番号「ＢＳ１」の周波数帯の信号がリモコン２６での操作により選択され、受信装置２３でアップコンバートした際の周波数配列を示している。
【００５９】
ここでは、テレビ受像機２１で「ＢＳ」放送の「５」チャンネルを指定することにより、自動的にその代表として「１５１」チャンネルの放送を視聴できるものとした。したがって、同じ「ＢＳ」放送の「５」チャンネルに対応する他のチャンネル、例えば「１５３」チャンネルの放送を視聴したい場合には、「１５１」チャンネルの放送を視聴している状態から、さらにリモコン２６のチャンネルの「アップ」ボタンを２回操作することで、受信装置２３とテレビ受像機２１内の図示しないＢＳ・ＣＳチューナの動作周波数は変わらないものの、トランスポートストリーム中の抽出するデータを可変することにより、新たに「１５３」チャンネルの放送を視聴可能となる。
【００６０】
さらに、「ＢＳ」放送を視聴している状態で、リモコン２６でチャンネル番号「４」を操作すると、そのリモコンコード信号「Ａ４」を受光センサ２４で受信し、ケーブル２５、入力端子３９、インターフェイス４０を介して制御部３３が受付ける。
【００６１】
制御部３３は受付けたコード信号を解析し、その解析結果からＲＯＭ４１及びＥＥＰＲＯＭ４２を参照して、チャンネル番号「４」を選局するものと判断し、そのチャンネル番号「４」が属するトランスポンダ番号「ＢＳ１３」の中間周波信号の周波数が「１，２７９．６４［ＭＨｚ］」、ダウンコンバート周波数が「３６５．６４［ＭＨｚ］」であることから、ローカル発振回路３４の局部発振周波数が「９１４［ＭＨｚ］」となるＰＬＬ制御データを演算し、ローカル発振回路３４に出力する。
【００６２】
これを受けたローカル発振回路３４では、与えられたＰＬＬ制御データにより「９１４［ＭＨｚ］」の局部発振信号をミキサー回路３２に出力し、「３６５．６４［ＭＨｚ］」にダウンコンバートされている信号を元の「１，２７９．６４［ＭＨｚ］」までアップコンバートさせる。
【００６３】
こうしてアップコンバートされたトランスポンダ番号「ＢＳ１３」の放送信号がテレビ受像機２１のＢＳ・ＣＳアンテナ端子へ出力される。
【００６４】
このときテレビ受像機２１内の図示しないＢＳ・ＣＳチューナでは、上記リモコン２６によるユーザ操作をリモコン受光部３８より受信し、これに対応してトランスポンダ番号「ＢＳ１３」の「１，２７９．６４［ＭＨｚ］」の周波数を選局する状態となっており、同周波数の中間周波信号を選局し、そのトランスポートストリームの中から代表となるチャンネル「１４１」のデータを選択して出力することで、結果としてテレビ受像機２１でチャンネル「１４１」の放送が視聴できるようになる。
【００６５】
図１０（Ｄ）は、このときトランスポンダ番号「ＢＳ１３」の周波数帯の信号がリモコン２６での操作により選択され、受信装置２３でアップコンバートした際の周波数配列を示している。
【００６６】
ここでは、テレビ受像機２１で「ＢＳ」放送の「４」チャンネルを指定することにより、自動的にその代表として「１４１」チャンネルの放送を視聴できるものとした。したがって、同じ「ＢＳ」放送の「４」チャンネルに対応する他のチャンネル、例えば「１４３」チャンネルの放送を視聴したい場合には、「１４１」チャンネルの放送を視聴している状態から、さらにリモコン２６のチャンネルの「アップ」ボタンを２回操作することで、受信装置２３とテレビ受像機２１内の図示しないＢＳ・ＣＳチューナの動作周波数は変わらないものの、トランスポートストリーム中の抽出するデータを可変することにより、新たに「１４３」チャンネルの放送を視聴可能となる。
【００６７】
このように、既存の共同受信するテレビ放送設備を利用して、複数の希望するＢＳ放送、ＣＳ放送等の衛星放送のトランスポンダ番号の信号を１本の同軸ケーブルで伝送でき、これを受信する端末機側では、市販の衛星放送対応のテレビ受像機を用いてより簡易な受信装置２３の構成で任意のチャンネルを受信することが可能となる。
【００６８】
上記実施の形態では、衛星放送対応のテレビ受像機２１のリモコン受光部３８近傍に受光センサ２４を貼付し、リモコン２６の操作信号をリモコン受光部３８と同時に受信して受信装置２３内の制御部３３へ送出するものとして説明したが、近年のテレビ受像機では、ビデオテープレコーダやＤＶＤプレーヤ、あるいはＨＤ（ハードディスク）／ＤＶＤレコーダ等の外部機器の制御を目的として、リモコンからテレビ受像機のリモコン受光部で受信したリモコンコード信号をスルー出力する端子が設けられているものもある。
【００６９】
したがって、このスルー出力端子に専用の外部機器コントロールケーブルを接続し、そのケーブル先端に設けられる発光素子が受信装置２３のパネル前面近傍となるように敷設して、受信装置２３のパネル前面に配置した受光センサで受信することも考えられる。
【００７０】
こうすることで、受信装置２３の設置位置をより自由に設定することができ、ホテル客室内のより目立たない場所に設置するなど、本来お客様にとってはその存在を意識する必要がない受信装置２３の設置位置に関する制約をより低減できる。
【００７１】
また、上記実施の形態では受信装置２３とテレビ受像機２１とを分離設置した場合について説明したが、受信装置２３とテレビ受像機２１とを一体化し、あるいはテレビ受像機２１内にテレビ受像機２１を収納してしまう構成としても良い。
【００７２】
その他、本発明は上記実施の形態に限らず、その要旨を逸脱しない範囲内で種々変形して実施することが可能であるものとする。
【００７３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７４】
【図１】本発明の実施の一形態に係るシステム全体の構成を示すブロック図。
【図２】同実施の形態に係るトランスポンダ番号とダウンコンバート周波数の対応を例示する図。
【図３】同実施の形態に係る既存の周波数配列とダウンコンバート後の周波数配列とを示す図。
【図４】同実施の形態に係る図１の主として受信装置内の回路構成を示すブロック図。
【図５】同実施の形態に係る分配器４のＲＯＭに記憶されるテレビ受像機メーカ毎のリモコンコードを例示する図。
【図６】ＢＳ放送のリモコンのチャンネル番号に割り当てられた３桁のチャンネル番号と中間周波（ＩＦ）信号の周波数、及びダウンコンバートする周波数の対応を例示する図。
【図７】同実施の形態に係るＣＳ放送のリモコンのチャンネル番号に割り当てられた３桁のチャンネル番号と中間周波（ＩＦ）信号の周波数、及びダウンコンバートする周波数の対応を例示する図。
【図８】同実施の形態に係るリモコンのチャンネル番号と出力されるリモコンコード信号との対応を例示する図。
【図９】同実施の形態に係る３桁のリモコンのチャンネル番号と出力されるリモコンコード信号との対応を例示する図。
【図１０】同実施の形態に係る既存の周波数配列とダウンコンバート後の周波数配列、及びアップコンバータによる選択的なアップコンバート後の周波数配列を例示する図。
【符号の説明】
【００７５】
１…衛星放送ダウンコンバータ、２…ＢＳ・ＣＳアンテナ、３…同軸ケーブル、４…分配器、５〜９…ダウンコンバータモジュール、５ａ〜９ａ…トランスポンダ番号設定部、５ｂ〜９ｂ…変換周波数設定部、１０…混合器、１１…同軸ケーブル、１２…ＵＨＦアンテナ、１３…ＶＨＦアンテナ、１４…混合器、１５…増幅器、１６…分岐／分配器、１７…同軸ケーブル、１８…直列ユニット、１９…分配器、２０…同軸ケーブル、２１…テレビ受像機、２２…同軸ケーブル、２３…受信装置、２４…受光センサ、２５…ケーブル、２６…リモコン、３０…入力端子、３１…ＬＰＦ、３２…ミキサー回路、３３…制御部、３４…ローカル発振回路、３５…ＨＰＦ、３６…出力端子、３７…同軸ケーブル、３８…リモコン受光部、３９…入力端子、４０…インターフェイス（Ｉ／Ｆ）、４１…ＲＯＭ、４２…ＥＥＰＲＯＭ。
【図１】
2005167930.tif 000003
【図２】
2005167930.tif 000004
【図３】
2005167930.tif 000005
【図４】
2005167930.tif 000006
【図５】
2005167930.tif 000007
【図６】
2005167930.tif 000008
【図７】
2005167930.tif 000009
【図８】
2005167930.tif 000010
【図９】
2005167930.tif 000011
【図１０】
2005167930.tif 000012